(57)【要約】      （修正有）【課題】書類やその他の収納されたシート物等がはみ出て折れ曲がり、脱落するのを確実に防止し、出し入れのしやすいファイルを提供する。【解決手段】表カバー１０と裏カバー２０を隣り合うよう折畳部１ａにおいて折り返し、一対の底辺部３０で接合部１ｂにおいて封止状態にすると共に残る一対の表カバー側辺部１２及び裏カバー側辺部２２並びに一対の表カバー上辺部１１及び裏カバー上辺部２１とを自由に開放して書類Ｓの差し入れ口Ａとしたファイルであって、裏カバー上辺部２１中央付近に上辺部下向き切込み部１３ａ及びその切込端部に長方形穴１３ｂを２カ所設け、更に裏カバー側辺部２２中央付近に側辺部内向き切込み部２０ａ及びその切込端部に長方形穴２０ｂを２カ所設け表裏のカバー間に収容された１枚又は複数の書類をそれぞれ係合して挟み込むための上辺部挟持用片１３ｃ、側辺部挟用片２０ｃを形成した。【選択図】図１
0003192259.tif 000002
【実用新案登録請求の範囲】
【請求項１】
表カバー（１０）と裏カバー（２０）を隣り合うよう折畳部（１ａ）において折り返し、一対の底辺部（３０）で接合部（１ｂ）において封止状態にすると共に残る一対の表カバー側辺部（１２）及び裏カバー側辺部（２２）並びに一対の表カバー上辺部（１１）及び裏カバー上辺部（２１）とを自由に開放して書類（Ｓ）の差し入れ口（Ａ）としたファイル（１）であって、裏カバー上辺部（２１）中央付近に上辺部下向き切込み部（１３ａ）及びその切込端部に長方形穴（１３ｂ）を２カ所設け、更に裏カバー側辺部（２２）中央付近に側辺部内向き切込み部（２０ａ）及びその切込端部に長方形穴（２０ｂ）を２カ所設け表裏のカバー間に収容された１枚又は複数の書類（Ｓ）をそれぞれ係合して挟み込むための上辺部においては上辺部挟持用片（１３ｃ）、側辺部においては側辺部挟用片（２０ｃ）が形成したことを特徴とするファイル（１）。
【請求項２】
上辺部下向き切込み部（１３ａ）及び側辺部内向き切込み部（２０ａ）が半楕円形状であることを特徴とする請求項１に記載のファイル（１）。
【請求項３】
表カバー上辺部半円カット部（１３）が裏カバー（２０）に設けられた上辺部下向き切込み部（１３ａ）よりも小さく更に切込端部２カ所の形成された長方形穴（１３ｂ）の振分け中心に形成されており、もう一方の表カバー側辺部半円カット部（１４）は裏カバー（２０）に設けられた側辺部内向き切込み部（２０ａ）よりも小さく更に切込端部２カ所に形成された長方形穴（２０ｂ）の振分け中心に形成されていることを特徴とする請求項１又は２に記載のファイル（１）。
【考案の詳細な説明】
【考案の詳細な説明】
【技術分野】
【０００１】  本考案は、チラシやコピー用紙等の書類を挟んで保持するファイルに関する。
【背景技術】
【０００２】  従来、クリアファイル又はファイルとして透明又は半透明のシートからなる文具が提供されている。このファイルは表カバーと裏カバーを有し、その表裏のカバーの間に書類等を自在に挿入して保存し、又取り出して使用している。
これらファイルは相互に隣接する２辺が封止され、残る２辺が開放されて書類の出し入れ口とされている。書類をカバーして保持、保護するには大変便利で有るが、一方で差し入れた書類等がファイルからはみ出して折れ曲がったり、バックの中でズレて書類が傷ついたり、更には落下し易いという課題が有った。
【先行技術文献】
【特許文献】
【０００３】
【特許文献１】特開２００８−１２７８５号公報
【考案の概要】
【考案が解決しようとする課題】
【０００４】  上記特許文献１に示すものは、接合されていない２辺ないし３辺のうち、１つの長辺にのみ、切込み片を設けてそこに舌片を通すことで紙の脱落防止効果を得ているが、残る他の辺から書類、紙がはみ出して折れ曲がったり、脱落したりする課題が有った。【０００５】  そこで本考案は上記従来における問題点を解決し、書類やその他の収納されたシート物等がはみ出て折れ曲がり、脱落するのを確実に防止し、出し入れのしやすいファイルの提供を課題とする。
【課題を解決するための手段】
【０００６】  本考案のファイルは、表カバー（１０）と裏カバー（２０）を隣り合うよう折畳部（１ａ）において折り返し、一対の底辺部（３０）で接合部（１ｂ）において封止状態にすると共に残る一対の表カバー側辺部（１２）及び裏カバー側辺部（２２）並びに一対の表カバー上辺部（１１）及び裏カバー上辺部（２１）とを自由に開放して書類（Ｓ）の差し入れ口（Ａ）としたファイル（１）であって、裏カバー上辺部（２１）中央付近に上辺部下向き切込み部（１３ａ）及びその切込端部に長方形穴（１３ｂ）を２カ所設け、更に裏カバー側辺部（２２）中央付近に側辺部内向き切込み部（２０ａ）及びその切込端部に長方形穴（２０ｂ）を２カ所設け表裏のカバー間に収容された１枚又は複数の書類（Ｓ）をそれぞれ係合して挟み込むための上辺部においては上辺部挟持用片（１３ｃ）、側辺部においては側辺部挟用片（２０ｃ）が形成したことを特徴とする。
【考案の効果】
【０００７】  請求項１記載のファイルによれば１対の表カバー側辺部及び裏カバー側辺部並びに一対の表カバー上辺部及び裏カバー上辺部との間の差し入れ口から書類を差し込んだ後、上辺部においては上辺部挟持用片が、一方の側辺部においては側辺部挟持用片がそれぞれ書類を挟み込むことが出来る。特に上辺部及び側辺部の各々の切込端部に設けられたそれぞれの２カ所の長方形穴によってしっかりと保持され、書類が挟持用片においてズレても書類の端面にキズがついたりすることが回避される。【０００８】  請求項２記載のファイルによれば裏カバーにそれぞれ形成された上辺部下向き及び側辺部内向き切込み部が半楕円形状となっているため、表カバーを片方の手でめくりあげた状態でもう一方向の手で書類をそれぞれ挟むことなく片手のみの動作で挟持用片を持ち上げて書類を挟むことの出来る優れたものとなる。【０００９】  請求項３に記載のファイルによれば、裏カバーにそれぞれ設けられた上辺部下向き切込部及び側辺部内向き切込み部よりも小さく表カバー上辺部半円カット部及び表カバー側辺部半円カット部が設けられており、更に前記切込部２カ所に形成された長方形穴の振分け中心に形成されているため、片方の親指で書類を挟み込みそれぞれの挟持用片が表カバーの内側に簡単に押し込んで係合出来る優れたものとなる。もちろん、書類を取り出す際もそれぞれの挟持用片を指で押し上げるだけのワンタッチ動作でファイルから書類を傷めずに取り出せる優れたものとなる。
【図面の簡単な説明】
【００１０】
【図１】本考案の一実施形態を示すファイルの斜視図である。
【図２】本考案の一実施形態のうち書類が、上辺部挟持用片及び側辺部挟持用片で挟み込まれた状態を示す図である。
【考案を実施するための形態】
【００１１】  以下、図１及び図２にて本考案のファイルを説明するが、本考案の実用新案登録請求の範囲に記載の考案を何ら限定するものではない。
【００１２】  図１は１枚のシートを表カバー（１０）と裏カバー（２０）を隣合うように折量部（１ａ）において折り返し、一対の底辺部（３０）で溶着等の手段で接合部（１ｂ）において封止されている。
残る一対の表カバー側辺部（１２）及び裏カバー側辺部（２２）並びに一対の表カバー上辺部（１１）及び裏カバー上辺部（２１）は自由に開放され、書類（Ｓ）の差し入れ口（Ａ）とされている。
もちろん前記表カバー（１０）と裏カバー（２０）は、例えば矩形形状のものを別々のシートとして用意し、前記折量部（１ａ）を一対の側辺部として溶着の手段で接合し、一対の底辺部（３０）と共に接合部（１ｂ）のように一体化しても良い。前記接合部（１ｂ）の形成は、融着、圧着、接着等その他公知の方法で行うことが出来る。
書類（Ｓ）をファイル（１）に挟み込む場合、例えば表カバー（１０）の開放側の表カバー側辺部（１２）から表カバー上辺部（１１）にかけて手で持ち、前記差し入れ口（Ａ）を開けることで１又は複数枚の書類（Ｓ）を挿入したり取り出すことが出来る。
そして書類（Ｓ）をファイル（１）に完全に挿入後、もう一方の手の指で表カバー（１０）と裏カバー（２０）の間に挟まって側辺部内向き切込み部（２０ａ）の上に有る書類（Ｓ）を裏カバー（２０）の裏面から側辺部挟持用片（２０ｃ）を指で押し出し、書類（Ｓ）が側辺部内向き切込み部（２０ａ）の端部に有る２カ所の長方形穴（２０ｂ）に沿うように裏カバー（２０）内面と前記側辺部挟持用片（２０ｃ）で挟み込む。もちろんもう一方の上辺部挟持用片（１３ｃ）も同様に指で書類（Ｓ）を押し出し、書類（Ｓ）が上辺部下向き切込み部（１３ａ）の端部に有る２カ所の長方形穴（１３ｂ）に沿うよう裏カバー（２０）内面と前記上辺部挟持用片（１３ｃ）で挟み込むことで本案のファイル（１）からズレたり脱落することがないものとなる。
なお、このファイル（１）は、各種書類、メモ等の文字書類、広告、チラシ、お知らせ、ポスター、写真等のシート、又材質としては紙、プラスチック、その他の材質からなるファイルを対象としており、それらの１又は複数枚を出し入れ、取り出し自在に出来るものである。
もちろん、ファイル（１）における表カバー（１０）と裏カバー（２０）の寸法の具体例としては、Ａ４寸法などを採用することができるが、書類（Ｓ）の大きさ形状に応じて、長方形、正方形状としても良い。
【００１３】  なお、本考案における上辺部下向き切込み部（１３ａ）及び側辺部内向き切込み部（２０ａ）が半楕円形状としたものが、指での押し出し易さ、力の配分更には書類（Ｓ）を保持する形状として最適である。もちろん半円形状、台形形状等として形成されても良い。
【００１４】  請求項３に記載したように、表カバー上辺部半円カット部（１３）が裏カバー（２０）に設けられた上辺部下向き切込み部（１３ａ）よりも小さく更に切込端部２カ所の形成された長方形穴（１３ｂ）の振分け中心に形成されており、もう一方の表カバー側辺部半円カット部（１４）は裏カバー（２０）に設けられた側辺部内向き切込み部（２０ａ）よりも小さく更に切込端部２カ所に形成された長方形穴（２０ｂ）の振分け中心に形成されているため、書類（Ｓ）を差し入れ口（Ａ）から挿入した後、前記側辺部挟持用片（２０ｃ）及び上辺部挟持用片（１３ｃ）で挟み込む際の動作において更に挟持動作のしやすいものとなり好ましい。これは挟持用片の持つ弾性復帰力によって表カバー上辺部半円カット部（１３）及び表カバー側辺部半円カット部（１４）の方がそれぞれの挟持用片よりも小さいため、該挟持用片において引っ掛からずに挟持状態を維持されるからである。なお表カバー上辺部半円カット部（１３）及び表カバー側辺部半円カット部（１４）と表カバー上辺部（１１）及び表カバー側辺部（１２）とのカットされている部分はコーナーＲを付けたり、Ｃ面状にカットしておけば、スムーズにそれぞれの挟持用片が動作する。
一方で上辺部下向き切込み部（１３ａ）及び側辺部内向き切込み部（２０ａ）の端部にそれぞれ有る２カ所の長方形穴（１３ｂ）、（２０ｂ）は書類（Ｓ）をセットし保持した状態において若干の余裕が有るためファイル（１）内で書類（Ｓ）が動いても書類（Ｓ）の縁部を傷つける事も無く、更には前記上辺部挟持用片（１３ｃ）又は側辺部狭持用片（２０ｃ）のいずれか一方を外して急いで書類（Ｓ）を取り出す動作においても書類（Ｓ）の縁を傷つけることのない大変優れたものとなる。
【００１５】  図２は、本案を容易に理解出来るように、表カバー（１０）と裏カバー（２０）の間に書類（Ｓ）がそれぞれ上辺部挟持用片（１３ｃ）及び側辺部挟持用片（２０ｃ）において挟持されている状態を示している。
【産業上の利用可能性】
【００１６】  本考案は、ビジネス用、書類、広告、チラシ、お知らせ、写真更にはそれらの組み合わせからなる書類を挟み込んで保持するファイルにおいて、書類がズレたり、脱落したり、更にははみ出して汚したり傷つけることのないファイルとして産業上利用することが出来る。
【符号の説明】
【００１７】１      ファイル
１ａ    折量部
１ｂ    接合部
１０    表カバー
１１    表カバー上辺部
１２    表カバー側辺部
１３    表カバー上辺部半円カット部
１３ａ  上辺部下向き切込み部
１３ｂ  長方形穴
１３ｃ  上辺部挟持用片
１４    表カバー側辺部半円カット部
２０    裏カバー
２０ａ  側辺部内向き切込み部
２０ｂ  長方形穴
２１    裏カバー上辺部
２２    裏カバー側辺部
Ｓ      書類
Ａ      差し入れ口
【図１】
0003192259.tif 000003
【図２】
0003192259.tif 000004